(57)【要約】      （修正有）【課題】他のクランプと着脱自在に組み合わせて使用することができ、使い勝手が良く、使用が簡便なパイプ取付け用クランプを提供する。【解決手段】概略Ｌ字形状のＬ型片２、及びＬ型片２の一端に連結された押え片３、並びにＬ型片２の他端と押え片３とを結合するネジ式結合部４、及び他のクランプ８のボルト、ナット結合部９へ差し込んで取り付けられる取付け部５とで構成されている。取付け部５には、他のクランプ８のボルト９ａへ挟み込むコの字形の切り欠き６が形成されている。他のクランプ８のボルト、ナット結合部９へ差し込んだ取付け部５は、ナット９ｂを締め付けて固定される。【選択図】図４
0003110388.tif 000002
【実用新案登録請求の範囲】
【請求項１】
パイプを連結するために使用されるパイプ取付け用クランプにおいて、
概略Ｌ字形状のＬ型片、及び前記Ｌ型片の一端に回動自在に連結された押え片、並びにＬ型片の他端と押え片とを結合するネジ式結合部、及び他のクランプのボルト、ナット結合部へ差し込んで取り付けられる平板形状の取付け部とで構成されており、
前記取付け部には、他のクランプのボルトへ横方向から差し込むコの字形の切り欠きが形成されており、他のクランプのボルト、ナット結合部へ差し込んだ取付け部は、ナットを締め付けて固定されることを特徴とする、パイプ取付け用クランプ。
【請求項２】
取付け部は、他のクランプのボルト、ナット結合部への差し込みと収まりが良い形状に形成されていることを特徴とする、請求項１に記載したパイプ取付け用クランプ。
【請求項３】
取付け部には、他のクランプとの摩擦力を増し又は引っ掛り良くする抜け止め処理が設けられていることを特徴とする、請求項１又は２に記載したパイプ取付け用クランプ。
【考案の詳細な説明】
【技術分野】
【０００１】
この考案は、パイプを連結して工事現場用手摺や足場の構築に使用されるパイプ取付け用クランプの技術分野に属し、更に云えば、他のクランプ（フォームタイ＝登録商標、を含む。以下、同じ。）と着脱自在に組み合わせて使用することができ、使い勝手が良く、使用が簡便なパイプ取付け用クランプに関する。
【背景技術】
【０００２】
従来、パイプを連結して、工事現場用手摺や足場の構築等に使用されるパイプ取付け用クランプは種々考案され実用に供されている。例えば下記の特許文献１〜４に開示されたパイプ取付け用クランプは、概略Ｌ字形状のＬ型片及び前記Ｌ型片の一端に回動自在に連結された押え片並びにＬ型片の他端と押え片とを結合するネジ式結合部とで構成された２個のクランプを回転自在に連結して組み合わせた構成である。
【０００３】
特許文献５に開示されたパイプ取付け用クランプは、概略Ｌ字形状のＬ型片及び前記Ｌ型片の一端に回動自在に連結された押え片並びにＬ型片の他端と押え片とを結合するネジ式結合部とで構成されたクランプ、及び前記クランプから突出しパイプの中空部内へ差し込まれてボルト又はピンで固定される軸桿とで構成されている。
【０００４】
特許文献６に開示されたパイプ取付け用クランプは、概略Ｌ字形状のＬ型片及び前記Ｌ型片の一端に回動自在に連結された押え片並びにＬ型片の他端と押え片とを結合するネジ式結合部とで構成されたクランプ、及びクランプとボルト接合され、板材を咬持するコの字形のクランプとで構成されている。
【０００５】
特許文献７に開示されたパイプ取付け用クランプは、チェーン吊足場を構築する構成である。
【特許文献１】特開２０００−３２０５０７号公報
【特許文献２】特開２０００−２６６０１４号公報
【特許文献３】特開平８−１２８１９４号公報
【特許文献４】特開平６−２８８０８２号公報
【特許文献５】特許第３１９２５６９号公報
【特許文献６】実開平５−６２６５２号公報
【特許文献７】実開平６−１４３５１号公報
【考案の開示】
【考案が解決しようとする課題】
【０００６】
上記特許文献１〜４に開示されたパイプ取付け用クランプでは、２個のクランプを異なるパイプへ取付けて使用する構成であるから、更にもう１本のパイプを連結する場合にもやはり２個のクランプの連結操作をするほかなく面倒である。
【０００７】
上記特許文献５に開示されたパイプ取付け用クランプは、交差するパイプを連結することはできない。その上、このクランプには、パイプの中空部内へ差し込める外径の軸桿を設置すること、及びパイプと軸桿とを共通に貫通するボルト孔を設けることが必要であり生産性が悪い。
【０００８】
上記特許文献６及び７に開示されたパイプ取付け用クランプは、パイプ同士を連結する目的で使用する構成ではない。
【０００９】
本考案の目的は、既にパイプを連結した他のクランプと着脱自在に組み合わせて使用するもので、更にもう１本のパイプを付加的に連結する場合に至便で、使い勝手が良く、使用が簡便なパイプ取付け用クランプを提供することである。
【課題を解決するための手段】
【００１０】
上記従来技術の課題を解決するための手段として、請求項１に記載した考案に係るパイプ取付け用クランプは、
パイプを連結するために使用されるパイプ取付け用クランプにおいて、
概略Ｌ字形状のＬ型片２、及び前記Ｌ型片２の一端に回動自在に連結された押え片３、並びにＬ型片２の他端と押え片３とを結合するネジ式結合部４、及び他のクランプ８のボルト、ナット結合部９へ差し込んで取り付けられる平板形状の取付け部５とで構成されており、
前記取付け部５には、他のクランプ８のボルトへ横方向から挟み込むコの字形の切り欠き６が形成されており、前記他のクランプ８のボルト、ナット結合部９へ差し込んだ取付け部５はナット９ｂを締め付けて固定されることを特徴とする。
【００１１】
請求項２に記載した考案は、請求項１に記載した考案に係るパイプ取付け用クランプにおいて、
取付け部５は、他のクランプ８のボルト、ナット結合部９への差し込みと収まりが良い形状に形成されていることを特徴とする。
【００１２】
請求項３に記載した考案は、請求項１又は２に記載した考案に係るパイプ取付け用クランプにおいて、
取付け部５には、他のクランプ８との摩擦力を増し又は引っ掛り良くする抜け止め処理７が設けられていることを特徴とする。
【考案の効果】
【００１３】
本考案に係るパイプ取付け用クランプ１は、既設の他のクランプ８（フォームタイ＝登録商標、である場合を含む。）が既にパイプ１０を連結している場合に、更にもう１本のパイプ１１を付加連結する必要があるとき、既設の前記クランプ８のボルト、ナット結合部９へ取付け部５を差し込みナット９ｂを締め付けて固定し使用する構成なので、他のクランプ８と着脱自在に組み合わせて軽便に使用することができる。つまり、１本のパイプ１１を付加連結する場合に、１個のクランプだけで他のクランプ８と併用してパイプ１１の連結ができるので、取付け作業が楽で使い勝手が良い。しかも、取付け部５は、他のクランプ８のボルト、ナット結合部９へ差し込み、ナット９ｂを締め付けるだけなので使用が簡便である。
【考案を実施するための最良の形態】
【００１４】
パイプ取付け用クランプ１は、概略Ｌ字形状のＬ型片２、及び前記Ｌ型片２の一端に回動自在に連結された押え片３、並びにＬ型片２の他端と押え片３とを結合するネジ式結合部４、及び他のクランプ８のボルト、ナット結合部９へ差し込んで取り付けられる平板形状の取付け部５とで構成する。取付け部５には、他のクランプ８のボルト９ａへ挟み込むコの字形の切り欠きを形成する。前記他のクランプ８のボルト、ナット結合部９へ差し込んだ取付け部は、ナット９ｂを締め付けて固定する。
【実施例１】
【００１５】
本考案に係るパイプ取付け用クランプ１の実施例を図１〜４に基づいて説明する。
図１及び図２は、本考案のパイプ取付け用クランプ１の平面図及び正面図を示す。図３及び図４は、前記パイプ取付け用クランプ１を他のクランプ８（図示のものは所謂フォームタイ＝登録商標、であるが、これに限るものではない。）へ適用してパイプ１１を付加連結した状態の説明図及び要部拡大斜視図を示している。
本考案のパイプ取付け用クランプ１は、概略Ｌ字形状のＬ型片２と前記Ｌ型片２の一端に回動自在に連結された押え片３、並びにＬ型片２の他端と押え片３とを結合するボルト４ａ、ナット４ｂとから成るネジ式結合部４、及び上記他のクランプ８のボルト、ナット結合部９へ差し込み取り付けられる平板形状の取付け部５とで構成されており、主に工事現場用手摺や足場を構築する目的で使用される。前記取付け部５は、Ｌ型片２の外隅部２’に配置され、溶接接合でしっかり固定されており、パイプ１１に負荷される動的荷重又は静的荷重によって脱落することのない構成とされている。なお、前記取付け部５は、Ｌ型片２と一体的に成形し、又はリベット止め、ビス止め、その他の接合手段で構成してもよい。
【００１６】
本考案のクランプ１を組み合わせて使用するべき相手のクランプ８としては、通例のクランプの他、図３及び図４に示すように、ボルト９ａ、ナット９ｂによる結合部９を有して既に、２本のパイプ１０を結合したフォームタイ（登録商標）形式のクランプ（以下、単にクランプという。）にも好適に適用される。
【００１７】
取付け部５の形態は、他のクランプ８のボルト、ナット結合部９への差し込み操作性と収まりが良い形状に形成されている。従って使い易く、しかもボルト、ナット結合部９への座り安定性、固定性が良い（請求項２記載の考案）。
【００１８】
取付け部５には、他のクランプ８のボルト、ナット結合部９へ横方向から差し込めるコの字形の切り欠き６が形成されている。前記切り欠き６の大きさは、取り付けた際のずり動きを防ぐためにボルト９ａと略同径に形成し、きっちりとボルト９ａへ挟み込める構成とすることが望ましい。また、切り欠き６の形状は、前記コの字形状に限らず、例えばＣ字形状のようにボルト９ａを挟み込める形状であれば、同様に実施することができる。
【００１９】
更に、取付け部５の表面に、他のクランプ８との摩擦力を増し又は引っ掛り良くする抜け止め処理として凹凸形状の滑り止め７が設けられている。よって横ずれやずり動き、脱落の心配がなく、使用上より一層の安全性が高められている（請求項３記載の考案）。
【００２０】
上記構成のパイプ取付け用クランプ１の使用例を図３、図４に示す。即ち、クランプ８によって既に連結し組み立てたパイプ１０に手摺り用のパイプ１１を付加連結する場合に、既にパイプ１０、１０を連結した他のクランプ８のボルト、ナット結合部９のナット９ｂを若干緩めて、取付け部５の切り欠き６をボルト９ａへ横方向から差し込み、再びナット９ｂを締め付けて固定する。つまり、１本のパイプ１１を付加連結する場合に、１個のクランプ１を他のクランプ８と併用してパイプ１１の連結ができるので、無駄が無く取付け作業が楽で使い勝手が良い。しかも、取付け部５は、他のクランプ８のボルト、ナット結合部９へ差し込み、ナット９ｂを締め付けるだけなので使用が簡便である。
【００２１】
本考案のパイプ取付け用クランプ１を使用する場合には、取付け部５を差し込む向きを適切に設定することで、パイプ１０、１１を平行な配置又は直交する配置或いは筋交いのように斜めの配置で早く使用を行うこともできる。つまり、図示した実施例のように互いに直交する２方向のパイプ１０と１１を連結する場合はもとより、例えば一方向に互いに並行する状態に連結したり、パイプを筋交いの如く交わり合う態様に連結することも可能である。
【００２２】
以上に本考案を実施例に基づいて説明したが、本考案はこうした実施例に何ら限定されるものではなく、本考案の要旨及び目的を逸脱しない範囲において、種々の形態で実施し得る。
【図面の簡単な説明】
【００２３】
【図１】本考案に係るパイプ取付け用クランプの平面図である。
【図２】本考案に係るパイプ取付け用クランプの正面図である。
【図３】本考案に係るパイプ取付け用クランプを使用してパイプを付加連結した実施例を示した説明図である。
【図４】図３のＡ−Ａ線矢視拡大斜視図である。
【符号の説明】
【００２４】
１    パイプ取付け用クランプ
２    Ｌ型片
３    押え片
４    ネジ式結合部
５    取付け部
６    切り欠き
７    滑り止め（抜け止め処理）
８    他のクランプ
９    ボルト、ナット結合部
【図１】
0003110388.tif 000003
【図２】
0003110388.tif 000004
【図３】
0003110388.tif 000005
【図４】
0003110388.tif 000006